(57)【要約】【課題】簡単な処理手順により、系統切替を送出信号に乱れを生じさせることなくスムーズに行うことのできるＴＳ切替送出装置を提供する。【解決手段】系統切替時に、スプライサ１１による系統切替の実行に先立ち、各エンコーダ１２，１５にてＴＳパケット間に２フレーム長以上でかつ無効な符号データを有する隙間を形成し、しかる後にスプライサ１１にて隙間期間で系統切替を行うようにしている。【選択図】      図１
2008160722.tif 000002
【特許請求の範囲】
【請求項１】
系統ごとにフレーム構造のベースバンド映像信号からパケット構造のＴＳ(Transport Stream)を生成し、切替部にて前記複数系統のＴＳを選択的に切り替えて送出するＴＳ切替送出装置において、
系統切替時に、送出中の系統及び待機中の系統のＴＳパケット間に前記切替部で切替可能でかつ無効な符号データを有する隙間を形成して前記切替部に供給する隙間形成手段と、
この隙間形成手段による隙間形成後の各系統のＴＳについて、前記隙間で切り替えるように前記切替部を制御する切替制御手段とを具備したことを特徴とするＴＳ切替送出装置。
【請求項２】
前記隙間形成手段は、送出中の系統及び待機中の系統のＴＳパケット間に少なくとも２フレーム長の隙間を形成することを特徴とする請求項１記載のＴＳ切替送出装置。
【請求項３】
前記隙間形成手段は、前記隙間に無効なヌルパケットを挿入することを特徴とする請求項１記載のＴＳ切替送出装置。
【発明の詳細な説明】
【技術分野】
【０００１】
この発明は、複数系統のＴＳ(Transport Stream)を選択的に切り替えて送出するＴＳ切替送出装置に関する。
【背景技術】
【０００２】
近年、地上波放送システムにおいては、デジタル放送が開始されている。このデジタル放送においては、ＭＰＥＧ２（Moving Picture Experts Group 2）により、番組で使用する映像、音声それぞれのＴＳパケットを放送局で多重伝送し、受信機側で各ＴＳパケットを復調し、適宜タイミングを合わせて合成再生することで、放送番組を視聴可能としている。
【０００３】
上記放送局においては、ＴＳパケットの切り替え、同期化、多重化などの信号処理を施すスタジオ機器が必要不可欠である。また、上記放送局では、機器の故障対策及び保守のために、多重系統としており、使用している系統のＴＳが放送に使用できない状態になった場合に、直ちに他の系統へ切り替えて放送の継続を図るようにしている。
【０００４】
ところで、上記放送局では、系統切替を行うための切替装置に対して切替位置を指定する信号を映像符号化装置で出力信号に多重して出力し、それを切替装置で検出して系統切替を実現している。しかしながら、この手法では、映像符号化装置の多重出力から切替位置を指定する信号を検出する分、切替装置の処理負荷が増大することになる。
【０００５】
なお、従来では、映像符号化装置にてＧＯＰ(Group Of Picture)タイミングから固定の一意の期間に映像と音声のＴＳパケットが出力されないよう隙間を空けたＴＳを出力する手法が提案されている（例えば、特許文献１）。
【特許文献１】特開２００５−９４３９０号公報
【発明の開示】
【発明が解決しようとする課題】
【０００６】
しかしながら、上記手法では、系統切替に係わらず、常にＧＯＰタイミングから固定の一意の期間の隙間を形成しなければならない分、映像符号化装置の処理負荷が増大する。
【０００７】
そこで、この発明の目的は、簡単な処理手順により、系統切替を送出信号に乱れを生じさせることなくスムーズに行うことのできるＴＳ切替送出装置を提供することにある。
【課題を解決するための手段】
【０００８】
上記目的を達成するために、この発明に係わるＴＳ切替送出装置は、系統ごとにフレーム構造のベースバンド映像信号からパケット構造のＴＳ(Transport Stream)を生成し、切替部にて複数系統のＴＳを選択的に切り替えて送出するＴＳ切替送出装置において、系統切替時に、送出中の系統及び待機中の系統のＴＳパケット間に切替部で切替可能でかつ無効な符号データを有する隙間を形成して切替部に供給する隙間形成手段と、この隙間形成手段による隙間形成後の各系統のＴＳについて、隙間で切り替えるように切替部を制御する切替制御手段とを備えるようにしたものである。
【０００９】
この構成によれば、系統切替時に、切替部による系統切替の実行に先立ち、送出中の系統及び待機中の系統のＴＳパケット間に切替部で切替可能でかつ無効な符号データを有する隙間が形成され、しかる後に切替部にて隙間期間で系統切替が行われることになる。
【００１０】
従って、系統切替の際に、切替部にてＴＳヘッダの解析を行なうことなく、隙間部分で切り替えるという簡単な手順で系統切り替えを復号した映像信号にノイズ等を生じさせることなくスムーズに行うことができる。
【発明の効果】
【００１１】
以上詳述したようにこの発明によれば、簡単な処理手順により、系統切替を送出信号に乱れを生じさせることなくスムーズに行うことのできるＴＳ切替送出装置を提供することができる。
【発明を実施するための最良の形態】
【００１２】
以下、この発明の実施形態について図面を参照して詳細に説明する。  
図１は、この発明の一実施形態となるＴＳ切替送出装置の構成を示すもので、１１は切替部としてのスプライサである。なお、ここでは説明を簡単にするため、スプライサ１１の入力チャンネル（系統）数を２チャンネルとし、出力チャンネル数を１チャンネルとし、各チャンネル入力は全てＭＰＥＧ２(Moving Picture Experts Group 2)で規定されるＴＳパケットであるものとする。
【００１３】
この実施形態では、スプライサ１１の第１入力チャンネルにエンコーダ（ＥＮＣ）１２及びマルチプレクサ（ＭＵＸ）１３を設けている。エンコーダ１２は、ベースバンド映像信号からＥＳ(Elementary Stream)、ＰＥＳ（Packetized Elementary Stream)という順を経て、ＴＳパケットに生成するもので、アラームシステム１４から通知される系統切替指示情報に基づいて、ＴＳパケット間に２フレーム以上の隙間を形成する。なお、隙間部分には、無効なヌルパケットが挿入されることになる。
【００１４】
マルチプレクサ１３は、エンコーダ１２から出力されるＴＳに音声ＴＳパケットやＰＳＩ（Program Specific information）を多重してスプライサ１１に出力する。
【００１５】
また、スプライサ１１の第２入力チャンネルには、エンコーダ（ＥＮＣ）１５及びマルチプレクサ（ＭＵＸ）１６を設けている。
【００１６】
アラームシステム１４は、上位の制御系から切替トリガが通知されると、エンコーダ１２，１５に対し系統切替指示情報を送出してＴＳパケット間に隙間を形成させた後、隙間期間でスプライサ１１の接続を第１入力チャンネルから第２入力チャンネル、または第２入力チャンネルから第１入力チャンネルに切替制御する。
【００１７】
次に、上記構成において、以下にその処理動作を説明する。  
まず、エンコーダ１２，１５では、互いに独立して同一のＴＳパケットを生成する。図２はＭＰＥＧ２のＴＳパケットの構造を示す。ＴＳヘッダは４バイトの固定長で、同期バイトと呼ばれる固定パターンの開始コードから始まり、アダプテーションフィールドの有無を示すアダプテーションフィールド制御情報などが存在する。アダプテーションフィールドはＴＳヘッダのアダプテーションフィールド制御値が２または３のときだけ存在する可変長のフィールドで、システムの時間情報を示すＰＣＲ（Program Clock Reference）やスプライサ１１に対し切替指示を出すためのスプライシングポイントフラグなどが存在する。ＴＳのバイト数は１８８バイトの固定長なので、１８８からＴＳのヘッダ長（４バイト）とアダプテーションフィールドのバイト数を引いた値がペイロードのバイト数となる。
【００１８】
しかしながら、実際にはスプライサ１１にてＴＳパケットのアダプテーションフィールドに含まれるスプライシングポイントフラグを検出してから系統切替が行われるため、スプライサ１１の処理負荷が増大することになる。そこで、本発明では、系統切替時に、各エンコーダ１２，１５でＴＳパケット間に切替部分を含む前後一定期間に有意な符号を出力しないようにして隙間を形成し、スプライサ１１にて隙間期間で系統切替を行うようにする。この場合の切替処理の様子を図３（ａ）〜（ｃ）に示す。
【００１９】
図３（ａ）はマルチプレクサ１３の出力、図３（ｂ）はマルチプレクサ１６の出力、図３（ｃ）はスプライサ１１の出力を示し、映１は第１入力チャンネルの映像パケット、音１は第１入力チャンネルの音声パケット、データ１は第１入力チャンネルのデータパケット、映２は第２入力チャンネルの映像パケット、音２は第２入力チャンネルの音声パケット、データ２は第２入力チャンネルのデータパケットであることを示している。
【００２０】
アラームシステム１４では、切替トリガが与えられると、各エンコーダ１２，１５に対し系統切替指示情報を出力してＴＳパケット間に隙間を形成させるようにし、スプライサ１１に対し切替タイミング信号を出力する。
【００２１】
スプライサ１１は、切替タイミング信号を受けて、マルチプレクサ１３，１６の出力を隙間期間で第１入力チャンネルから第２入力チャンネルへ、または第２入力チャンネルから第１入力チャンネルへ切り替える。
【００２２】
これにより、切替前の信号と切替後の信号が綺麗につながり、情報に乱れを生じさせることなくＴＳを送出されるようになる。
【００２３】
以上のように上記実施形態では、系統切替時に、スプライサ１１による系統切替の実行に先立ち、各エンコーダ１２，１５にてＴＳパケット間に２フレーム長以上でかつ無効な符号データを有する隙間を形成し、しかる後にスプライサ１１にて隙間期間で系統切替を行うようにしている。
【００２４】
従って、系統切替の際に、スプライサ１１にてＴＳヘッダやアダプテーションフィールドの解析を行なうことなく、隙間部分で切り替えるという簡単な手順で系統切り替えを復号した映像信号にノイズ等を生じさせることなくスムーズに行うことができる。
【００２５】
なお、上記実施形態では、２フレーム長以上の隙間を形成する例について説明したが、スプライサ１１の切替性能に応じて、２フレーム未満の隙間を形成するようにしてもよい。
【００２６】
その他、ＴＳ切替送出装置の構成等についても、この発明の要旨を逸脱しない範囲で種々変形して実施できる。
【図面の簡単な説明】
【００２７】
【図１】この発明の一実施形態となるＴＳ切替送出装置の構成を示すブロック図。
【図２】ＭＰＥＧ２のＴＳパケットの構造を示す図。
【図３】上記実施形態における処理動作を説明するためのタイミング図。
【符号の説明】
【００２８】
１１…スプライサ、１２，１５…エンコーダ、１３，１６…マルチプレクサ、１４…アラームシステム。
【図１】
2008160722.tif 000003
【図２】
2008160722.tif 000004
【図３】
2008160722.tif 000005